(57)【要約】【課題】帳票用紙の外観不良と印字不良をともに低減する。【解決手段】用紙１上に形成された感熱発色層３の上にコーティング層５を塗布したコーティング領域Ｔ１と、その同一紙面でコーティング層５を塗布しない非コーティング領域Ｔ３との境界部分に、網点グラデーション層６で構成した中間領域Ｔ３を形成し、コーティング領域Ｔ１と非コーティング領域Ｔ２との間のインキ塗布厚の段差Ｄを緩和する。【選択図】  図１
2004330579.tif 000002
【特許請求の範囲】
【請求項１】
紙面に形成された感熱発色層上にコーティング層を被覆したコーティング領域と、当該コーティング領域と同一紙面で前記コーティング層を被覆しない非コーティング領域との境界部分に、前記コーティング領域から前記非コーティング領域に移行するにつれて漸次的に盛量を減少させたインキを塗布した中間領域が設けられていることを特徴とする帳票用紙。
【請求項２】
前記中間領域は、線数または面積比率を変化させた網点グラデーション層で構成されていることを特徴とする請求項１に記載の帳票用紙。
【請求項３】
前記コーティング領域と前記中間領域とは、同一のインキを用いて形成されていることを特徴とする請求項１に記載の帳票用紙。
【請求項４】
前記紙面に印影を捺印する印影捺印領域が設けられ、当該印影捺印領域上には前記コーティング層を被覆しないようにしたことを特徴とする請求項１乃至請求項３のいずれかに記載の帳票用紙。
【発明の詳細な説明】
【０００１】
【発明の属する技術分野】
本発明は、用紙上に感熱発色層が形成された帳票用紙に関する。
【０００２】
【従来の技術】
従来、用紙上に感熱発色層が形成された帳票用紙の一例として、本出願人が先に出願して特許文献１に開示された発明がある。
【０００３】
【特許文献１】
特開平１０−２５４３５９号公報
【０００４】
この帳票用紙は、用紙の表面に形成された感熱発色層の所要面に、摩擦熱による感熱発色層への干渉を抑止する摩擦熱低下層（コーティング層）が被覆されている。また、その他の実施形態としては、情報読取り領域に限定してコーティング層が被覆されたものや、押印領域を除いた感熱発色層の全面にコーティング層が被覆されたものが開示されている（例えば、特許文献１の
【図２】、
【図４】、
【図５】等参照）。
【０００５】
しかしながら、この種の帳票用紙は、いずれの形態にあっても同一紙面にコーティング層を被覆した箇所と被覆しない箇所とが混在することで用紙の見た目が悪くなってしまう。つまり、コーティング層を被覆した箇所は被覆しない箇所に比べて明らかに光沢度が高くなって目立ってしまい、用紙の外観不良を来たすという問題がある。
【０００６】
また、コーティング層を被覆した箇所と被覆しない箇所とではインキの塗布厚にも差があることから、両者の間に塗布厚の差による段差が生じてしまう。よって、この帳票用紙を印刷装置に搬送したときに、この段差が原因で印刷装置の印字ヘッドがスムーズに移行せずに用紙の詰まりや印字不良を来たすという問題もある。
【０００７】
尚、上述の問題を解決するためにコーティング層を紙面の全面に均一に塗布する方法も考えられるが、この場合、コーティングの必要がない箇所にも塗布することになるので製作コストを考慮すると好ましくない。
【０００８】
【発明が解決しようとする課題】
本発明は、上記のような問題点に鑑みてなされたもので、その目的とするところは、用紙上にコーティング層を被覆してなる帳票用紙において、コーティング層による外観不良と印字不良の双方を低減させることができる帳票用紙を提供することにある。
【０００９】
【課題を解決するための手段】
上記目的を達成するために、本発明に係る帳票用紙は、紙面に形成された感熱発色層上にコーティング層を被覆したコーティング領域と、コーティング領域と同一紙面でコーティング層を被覆しない非コーティング領域との境界部分に、コーティング領域から非コーティング領域に移行するにつれて漸次的に盛量を減少させたインキを塗布した中間領域が設けられていることを特徴とする。
【００１０】
ここで、中間領域は、線数または面積比率を変化させた網点グラデーション層で構成することができる。また、コーティング領域と中間領域とは、同一のインキを用いて形成されていることが好ましい。さらに、紙面に印影を捺印する印影捺印領域を設ける場合には、印影捺印領域上にはコーティング層を被覆しないように構成する。
【００１１】
【発明の実施の形態】
以下、本発明の実施形態について、添付図面を参照して詳細に説明する。
【００１２】
図１に示すように、本実施形態の帳票用紙Ｐは、所要形状に成形された用紙１の紙面に各種記入枠２，２，…が印字されており、記入枠２，２，…の内側には全て感熱発色層３が塗工されている。
【００１３】
感熱発色層３は、図２に示すように、電子供与体と電子受容体を固体微粒子として樹脂バインダ中に分散して用紙１上に塗工したものである。感熱発色層３を加熱溶融させると、電子供与体と電子受容体の両成分が互いに反応して発色するように構成されている。
【００１４】
また、下側の記入枠２−２内は、ＯＣＲで自動読取りができるように光学読取り部４となっている。光学読取り部４には、サーマルヘッド等の加熱手段によって感熱発色層３を加熱発色させることで所定事項が光学読取りコードで印字される。本実施形態では、光学読取りコードの一例としてバーコード４−１が印字されている。
【００１５】
かかる構成において、感熱発色層３の上面にはコーティング層５を被覆したコーティング領域Ｔ１が設けられている。
【００１６】
すなわち、コーティング領域Ｔ１を構成するコーティング層５は、下面の感熱発色層３に印字された文字の視認性や光学読取りコードの読取りスペックに支障を来たさないように、紫外線硬化型や酸化重合型の無色透明インキをスクリーン印刷やオフセット印刷等の各種印刷方式でベタ印刷することで形成できる。
【００１７】
また、コーティング層５は、摩擦熱が原因で感熱発色層３が誤って発色することを防ぐために所定の耐熱性を有するインキを用いて形成することが好ましい。このような耐熱性を有する無色透明インキとしては、例えばハクリＯＰニスＵＰ−２やＲＮＣ無変色メジウム（いずれもＴ＆Ｋ  ＴＯＫＡ製、商品名）を使用することができる。そして、コーティング層５を形成するインキの塗布量は、視認性と耐熱性の双方の観点を考慮して決定され、サーマルヘッド等のハードでの印字に支障がないように管理される。
【００１８】
一方、図１に示すように、コーティング領域Ｔ１が形成された用紙１の同一紙面であって感熱発色層３を除いた領域は、視認性や耐熱性を考慮する必要がない。このため、感熱発色層３を除く領域は、製作コストを削減する観点からコーティング層５を塗布しない非コーティング領域Ｔ２となっている。そして、コーティング領域Ｔ１と非コーティング領域Ｔ２との境界部分には、所定幅を持った帯状の中間領域Ｔ３が設けられている。
【００１９】
すなわち、この中間領域Ｔ３は、コーティング領域Ｔ１と非コーティング領域Ｔ２との間のインキ盛量の差による段差Ｄを埋めるべく、コーティング領域Ｔ１から非コーティング領域Ｔ２に移行するにつれて漸次的に盛量を減少させてインキを塗布することで形成される。その形成方法としては、インキ盛量を直接調節してベタ印刷する方法や、スクリーン印刷でスクリーン線数を徐々に少なくするか面積比率を徐々に小さくして網点印刷する方法等の簡単で廉価な方法を採用すれば良い。
【００２０】
本実施形態の中間領域Ｔ３は、図３に詳細に示すように、コーティング領域Ｔ１から非コーティング領域Ｔ２にかけて面積比率を漸次的に減少させた網点グラデーション層６で構成されている。また、コーティング領域Ｔ１と非コーティング領域Ｔ２との間の境界線を目立たなくさせるために、中間領域Ｔ３を形成するインキは、コーティング領域Ｔ１を形成したインキと同一の無色透明インキを用いることが好ましい。
【００２１】
さらに、他の実施形態としては、図４に示すように紙面の制約の関係から同一紙面に印影を捺印する印影捺印領域Ｔ４を形成する場合もある。この場合には、印影捺印領域Ｔ４上にはコーティング層５を塗布しないように構成しなければならない。
【００２２】
その理由は、印影捺印領域Ｔ４上にコーティング層５が塗布されていると、コーティング層５を構成する無色透明のインキ上には印影の朱肉が定着せず、印影が滲んで用紙汚れを引き起こす原因となるためである。
【００２３】
このように、コーティング領域Ｔ１から非コーティング領域Ｔ２にかけてインキの盛量が徐々に減少していくように中間領域Ｔ３が設けられているため、コーティング領域Ｔ１と非コーティング領域Ｔ２との境界部分が目立つことがなく用紙の外観不良を低減させることができる。
【００２４】
また、コーティング領域Ｔ１と非コーティング領域Ｔ２との間に存在したインキの塗布厚の差による段差Ｄも中間領域Ｔ３によって緩和される。このため、帳票用紙Ｐを印刷装置に搬送したときに、印字ヘッドがコーティング領域Ｔ１から非コーティング領域Ｔ２へ、あるいは逆に非コーティング領域Ｔ２からコーティング領域Ｔ１へとスムーズに移行するようになり、用紙の詰まりや印字不良等のトラブルを解消することができる。このように、コーティング領域Ｔ１と非コーティング領域Ｔ２との境界付近における印字特性が向上することから、同一紙面における印字領域が大幅に拡大する。
【００２５】
【発明の効果】
以上詳細に説明したように、本発明に係る帳票用紙によれば、中間領域を形成することで、コーティング領域と非コーティング領域との境界部分が目立たずに用紙の外観不良を低減させることができるとともに、インキの塗布厚の差による段差が緩和され、印刷装置に搬送したときに印字ヘッドがスムーズに移行して用紙の詰まりや印字不良等のトラブルを解消することができる。
【図面の簡単な説明】
【図１】帳票用紙の構成例を示す平面図。
【図２】図１に示すＩＩ−ＩＩ線断面図。
【図３】図１に示すＡ部拡大図。
【図４】他の構成例を示す平面図。
【符号の説明】
Ｐ  帳票用紙
１  用紙
２，２−１，２−２，…  記入枠
３  感熱発色層
４  光学読取り部
４−１  バーコード
５  コーティング層
６  網点グラデーション層
Ｔ１  コーティング領域
Ｔ２  非コーティング領域
Ｔ３  中間領域
Ｔ４  印影捺印領域
Ｄ  段差
【図１】
2004330579.tif 000003
【図２】
2004330579.tif 000004
【図３】
2004330579.tif 000005
【図４】
2004330579.tif 000006